(57)【要約】 【課題】複数の処理を容易に実施させる音響再生装置を提供する。【解決手段】音響再生装置１００の処理部３６０は、機器制御手段３６４にて、入力部２２０からの押下、右方向への回転、左方向への回転の３つの入力操作に応じた各信号Ｓou，Ｓmi，Ｓhiを取得すると、機能設定情報に基づいて各入力操作に対応した機能で機器部３１０を動作させるための動作制御信号Ｓcsを生成して出力する。指紋検出部２３０は、指紋を検出すると、この指紋に対応する指紋信号Ｓyuを生成して出力する。処理部３６０は、指紋信号Ｓyuを取得すると、操作機能設定手段３６３にて、入力部２２０の各入力操作に対応した機能を指紋に関連付けられた機能に設定した機能設定情報を生成する。  【選択図】  図１
2005219630.tif 000002
【特許請求の範囲】
【請求項１】
入力操作に利用される人体の生体的特徴を認識し、前記生体的特徴に対応した生体特徴信号を出力する生体特徴信号出力手段と、
前記入力操作に応じて各種処理を実施する処理実施手段を制御する処理制御手段と、
を具備し、
前記処理制御手段は、前記生体特徴信号と前記入力操作とに基づいて前記処理実施手段が実施する処理を設定する
ことを特徴とする操作制御装置。
【請求項２】
請求項１に記載の操作制御装置であって、
前記生体特徴信号に関連付けられた生体特徴特定情報と前記入力操作に対応する処理に関する処理特定情報とを関連付けて記憶する記憶手段を具備し、
前記処理制御手段は、前記記憶手段から取得した前記処理特定情報に基づいて前記処理実施手段が実施する処理を設定する
ことを特徴とする操作制御装置。
【請求項３】
請求項２に記載の操作制御装置であって、
前記生体特徴信号を取得すると、各種情報を報知する報知手段に少なくとも１つの処理特定情報を報知させ、前記処理特定情報が選択されると、前記生体特徴信号に関連付けられた生体特徴特定情報、および前記選択された処理特定情報とを関連付けて記憶手段に記憶させる情報生成手段を具備した
ことを特徴とする操作制御装置。
【請求項４】
請求項１ないし請求項３のいずれかに記載の操作制御装置であって、
前記処理制御手段は、前記処理実施手段が実施する処理を設定すると、各種情報を報知する報知手段に前記設定した処理の内容を報知させる
ことを特徴とする操作制御装置。
【請求項５】
請求項４に記載の操作制御装置であって、
前記報知手段は、音声にて前記設定した処理の内容を報知する
ことを特徴とする操作制御装置。
【請求項６】
請求項１ないし請求項５のいずれかに記載の操作制御装置であって、
前記処理実施手段が実施する処理を設定してからの経過時間を計時する計時手段を具備し、
前記処理制御手段は、前記経過時間が所定の時間を超えた場合、前記処理実施手段が実施する処理を所定の処理に変更する
ことを特徴とする操作制御装置。
【請求項７】
請求項６に記載の操作制御装置であって、
前記所定の処理は、実施頻度が高い処理である
ことを特徴とする操作制御装置。
【請求項８】
請求項１ないし請求項７のいずれかに記載の操作制御装置であって、
入力操作が可能な操作部と、この操作部の入力操作に応じた操作信号を出力する操作信号生成部と、を備えた入力手段を具備し、
前記処理実施手段は、前記操作信号を取得して、前記入力操作を認識する
ことを特徴とする操作制御装置。
【請求項９】
請求項８に記載の操作制御装置であって、
前記操作部は、複数の入力操作が可能である
ことを特徴とする操作制御装置。
【請求項１０】
請求項８または請求項９に記載の操作制御装置であって、
前記生体特徴信号出力手段は、前記操作部に設けられた
ことを特徴とする操作制御装置。
【請求項１１】
請求項１ないし請求項１０のいずれかに記載の操作制御装置であって、
前記生体的特徴は、指紋であり、
前記生体特徴信号出力手段は、前記指紋が当接する指紋当接部と、この指紋当接部に当接した前記指紋の種類を認識し、この認識した前記指紋の種類に対応した前記生体特徴信号を出力する生体特徴信号生成部と、を備えた
ことを特徴とする操作制御装置。
【請求項１２】
請求項１１に記載の操作制御装置であって、
前記生体特徴信号生成部は、前記指紋当接部に当接した前記指紋の当接方向を認識し、この認識した前記当接方向に対応した前記生体特徴信号を出力する
ことを特徴とする操作制御装置。
【請求項１３】
請求項１１または請求項１２に記載の操作制御装置であって、
前記生体特徴信号生成部は、前記指紋当接部に当接された状態における前記指紋の移動方向を認識し、この認識した前記移動方向に対応した前記生体特徴信号を出力する
ことを特徴とする操作制御装置。
【請求項１４】
請求項１１ないし請求項１３のいずれかに記載の操作制御装置であって、
前記生体特徴信号生成部は、前記指紋当接部における前記指紋の当接位置を認識し、この認識した前記当接位置に対応した前記生体特徴信号を出力する
ことを特徴とする操作制御装置。
【請求項１５】
入力操作に応じて各種処理を実施する処理実施手段と、
この処理実施手段が実施する処理を設定する請求項１ないし請求項１４のいずれかに記載の操作制御装置と、
を具備したことを特徴とする処理制御装置。
【請求項１６】
入力操作に用いられる人体の生体的特徴を認識し、前記生体的特徴に対応した生体特徴信号を出力させ、
前記入力操作に応じて各種処理を実施する処理実施手段を制御し、
前記生体特徴信号と前記入力操作とに基づいて、前記処理実施手段が実施する処理を設定する
ことを特徴とする操作制御方法。
【請求項１７】
演算手段を、請求項１ないし請求項１４のいずれかに記載の操作制御装置として機能させる
ことを特徴とする操作制御プログラム。
【請求項１８】
請求項１６に記載の操作制御方法を演算手段に実行させる
ことを特徴とする操作制御プログラム。
【請求項１９】
請求項１７または請求項１８に記載の操作制御プログラムが演算手段にて読み取り可能に記憶された
ことを特徴とする操作制御プログラムを記録した記録媒体。
【発明の詳細な説明】
【技術分野】
【０００１】
本発明は、複数の処理を実施させる操作制御装置、処理制御装置、操作制御方法、そのプログラム、および、そのプログラムを記録した記録媒体に関する。
【背景技術】
【０００２】
近年、指紋、顔、声などの個人の生体的特徴を利用して個人を識別する技術であるいわゆるバイオメトリクス認証が知られている。このバイオメトリクス認証は、個人に固有な生体的特徴を利用するので、従来利用されているパスワードやＩＣ（Integrated Circuit）カードなどに比べて高いセキュリティ性を有している。そして、このバイトメトリクス認証を利用したナビゲーション装置の表示装置が知られている（例えば、特許文献１参照）。
【０００３】
特許文献１に記載のものは、指紋を検出する指紋センサと、予め登録した指紋を記憶する指紋登録部と、指紋センサにて検出した指紋および指紋登録部に登録された指紋を比較して照合する指紋照合部と、指紋照合部における照合結果に基づいて各種装置を制御するための制御信号を出力する制御部と、この制御部からの信号によりモニター開閉用のモータを作動するモニター開閉部と、を備えている。
【０００４】
そして、指紋照合部にて指紋センサで検出した指紋が指紋登録部に例えば人差し指として登録されていると判断すると、制御部にてモニター開閉部に信号を送り、モニターの開閉を実施する。また、指紋センサにて検出した指紋が中指として登録されていると判断すると、ナビゲーションシステムの誘導経路探索部に信号を送り、自宅へのルート案内の作動を開始させる。さらに、指紋センサにて検出した指紋が薬指として登録されていると判断すると、ナビゲーションシステムの検索部に信号を送り、現在地の周辺案内用の各種検索を行う作動を開始させる。
【０００５】
【特許文献１】特開２０００−３０９２４７号公報（第３頁左欄−第４頁右欄）
【発明の開示】
【発明が解決しようとする課題】
【０００６】
しかしながら、上述した特許文献１のような従来の構成では、指紋センサで指紋登録部に登録された例えば中指の指紋を検出した際に、ナビゲーションシステムにルート案内の作動を開始させることしかできない。このため、指紋センサで指紋登録部に登録された各指の指紋を検出した際に、この検出した各指に対応する１つの処理しか実施させることができないという問題が一例として挙げられる。
【０００７】
本発明は、このような点に鑑みて、複数の処理を容易に実施させる操作制御装置、処理制御装置、操作制御方法、そのプログラム、および、そのプログラムを記録した記録媒体を提供することを目的とする。
【課題を解決するための手段】
【０００８】
請求項１に記載の発明は、入力操作に利用される人体の生体的特徴を認識し、前記生体的特徴に対応した生体特徴信号を出力する生体特徴信号出力手段と、前記入力操作に応じて各種処理を実施する処理実施手段を制御する処理制御手段と、を具備し、前記処理制御手段は、前記生体特徴信号と前記入力操作とに基づいて前記処理実施手段が実施する処理を設定することを特徴とする操作制御装置である。
【０００９】
請求項１５に記載の発明は、入力操作に応じて各種処理を実施する処理実施手段と、この処理実施手段が実施する処理を設定する請求項１ないし請求項１４のいずれかに記載の操作制御装置と、を具備したことを特徴とする処理制御装置である。
【００１０】
請求項１６に記載の発明は、入力操作に用いられる人体の生体的特徴を認識し、前記生体的特徴に対応した生体特徴信号を出力させ、前記入力操作に応じて各種処理を実施する処理実施手段を制御し、前記生体特徴信号と前記入力操作とに基づいて、前記処理実施手段が実施する処理を設定することを特徴とする操作制御方法である。
【００１１】
請求項１７に記載の発明は、演算手段を、請求項１ないし請求項１４のいずれかに記載の操作制御装置として機能させることを特徴とする操作制御プログラムである。
【００１２】
請求項１８に記載の発明は、請求項１６に記載の操作制御方法を演算手段に実行させることを特徴とする操作制御プログラムである。
【００１３】
請求項１９に記載の発明は、請求項１７または請求項１８に記載の操作制御プログラムが演算手段にて読み取り可能に記憶されたことを特徴とする操作制御プログラムを記録した記録媒体である。
【発明を実施するための最良の形態】
【００１４】
以下に、本発明の一実施の形態を図面に基づいて説明する。本実施の形態では、本発明の操作制御装置および処理制御装置を備えた音響再生装置を例示して説明するが、これに限られず複数の処理を実施するいずれの構成でも適用できる。図１は、音響再生装置の概略構成を示すブロック図である。図２は、グリル部の概略構成を示す模式図である。図３は、指紋対応機能情報におけるデータのテーブル構造を模式的に示す概念図である。図４は、指紋登録情報におけるデータのテーブル構造を模式的に示す概念図である。図５は、組み合わせ情報におけるデータのテーブル構造を模式的に示す概念図である。図６は、指紋情報および組み合わせ情報の登録処理を示すフローチャートである。図７は、操作可能機能の設定処理を示すフローチャートである。
【００１５】
〔音響再生装置の構成〕
図１において、１００は車載用の音響再生装置（以下、カーオーディオと称す）である。このカーオーディオ１００は、移動体である例えば車両に搭載され、ＣＤ（Compact Disc）やＭＤ（Mini Disc）などに記録された楽曲などを再生する装置である。なお、移動体としては、車両に限らず、飛行機、船舶などいずれの移動体が対象となる。そして、カーオーディオ１００は、グリル部２００と、本体部３００と、を備えている。
【００１６】
グリル部２００は、図２に示すように、筐体２１０を備えている。この筐体２１０は、例えば合成樹脂や金属などにより図示しない内部空間を有する略薄箱状に形成され、正面略中央から左側の部分にかけて略矩形状の表示窓２１１が開口形成されている。筐体２１０は、例えば本体部３００の図示しない本体ケースの正面に設けられている。また、筐体２１０は、本体部３００の本体ケースに対する角度が変更できるように回動可能に設けられている。そして、グリル部２００は、入力手段としての入力部２２０と、生体特徴信号出力手段としての指紋検出部２３０と、報知手段としても機能する表示部２４０と、図示しないモード切替部と、などを備えている。なお、ここでは、入力部２２０をグリル部２００に設ける構成について例示するが、これに限らずステアリング部など適宜他の位置に設けてもよい。
【００１７】
入力部２２０は、本体部３００に各種情報が送受信可能に接続され、本体部３００の動作を適宜制御する。この入力部２２０にて制御可能な本体部３００の動作内容は、詳しくは後述するが適宜設定変更可能とされている。そして、入力部２２０は、例えば筐体２１０の正面右方に配設された操作部としての操作つまみ２２１と、筐体２１０内に配設された図示しない操作信号生成部と、などを備えている。
【００１８】
操作つまみ２２１は、例えばプラスチックなどの材料により例えば短尺の略円筒状に形成され、図２における紙面の裏面方向に進退可能に、かつ、略円筒状の軸を中心に回転可能に設けられている。また、この操作つまみ２２１の正面における略中央には、例えば略矩形状の当接部配設溝２２２が形成されている。なお、ここでは、操作つまみ２２１として、短尺の略円筒状に形成されたいわゆるロータリ型の構成について例示するが、これに限られず例えば平面十字形状に形成されたいわゆる十字型の構成や、略棒形状に形成されたいわゆるジョイスティック型の構成など、複数の入力操作形態が可能ないずれの構成としてもよい。
【００１９】
操作信号生成部は、操作つまみ２２１の入力操作に基づいて、所定の信号を生成して本体部３００へ出力する。具体的には、操作信号生成部は、操作つまみ２２１が押下されたことを認識すると、操作信号としての押下信号Ｓouを生成して本体部３００へ出力する。また、操作信号生成部は、操作つまみ２２１が右方向に回転されたことを認識すると、操作信号としての右回転信号Ｓmiを生成して本体部３００へ出力する。さらに、操作信号生成部は、操作つまみ２２１が左方向に回転されたことを認識すると、操作信号としての左回転信号Ｓhiを生成して本体部３００へ出力する。
【００２０】
指紋検出部２３０は、本体部３００に各種情報が送受信可能に接続され、利用者の生体的特徴としての指紋を検出して、この指紋の形状に対応する指紋信号Ｓyuを出力する。なお、以下において、指紋検出部２３０で検出した指紋を、検出指紋と適宜称して説明する。この指紋検出部２３０は、例えば操作つまみ２２１の当接部配設溝２２２に配設された指紋当接部２３１と、例えば筐体２１０内に配設された図示しない光照射部と、例えば筐体２１０内に配設された図示しない生体特徴信号生成部としてのイメージセンサ部と、などを備えている。指紋当接部２３１は、例えばガラスなどの透過性を有する材料により略矩形板状に形成されており、表面が操作つまみ２２１の正面と略同一面となるように配設されている。光照射部は、操作つまみ２２１の略円筒状の中空部を介して、指紋当接部２３１の表面に向けて光を照射可能な位置に配設されている。イメージセンサ部は、操作つまみ２２１の略円筒状の中空部を介して、指紋当接部２３１からの反射光を検出可能な位置に配設されている。そして、この指紋検出部２３０は、光照射部にて例えば利用者の指が当接された指紋当接部２３１に向けて光を照射して、イメージセンサ部にて指紋当接部２３１からの指紋に対応する反射光を検出する。この後、指紋検出部２３０は、イメージセンサ部にて、検出した反射光に対応する生体特徴信号としての指紋信号Ｓyuを生成して本体部３００へ出力する。なお、ここでは、指紋検出部２３０として反射光に対応する指紋信号Ｓyuを生成するいわゆる光学式の構成について例示したが、これに限らず指紋当接部２３１に指が当接された際の温度分布に対応する指紋信号Ｓyuを出力するいわゆる温感式の構成としてもよい。また、指紋当接部２３１に指が当接された際の電荷量に対応する指紋信号Ｓyuを出力するいわゆる半導体式の構成など、いずれの構成を適用してもよい。さらに、例えば略細長矩形状の表面を有する指紋当接部２３１を適用し、この指紋当接部２３１の表面上を指が移動された際の反射光を連続的に検出するいわゆるライン式の構成などとしてもよい。
【００２１】
表示部２４０は、本体部３００に各種情報が送受信可能に接続されている。この表示部２４０は、本体部３００にて制御され本体部３００から出力される画像データの信号Ｓdpを画面表示する表示面２４１を有し、この表示面２４１が筐体２１０の表示窓２１１に臨んで筐体２１０内に配設されている。画面表示する画像データとしては、例えば再生されている楽曲のトラックナンバや音量などのカーオーディオ１００の動作状態などを示す各種情報などである。この表示部２４０としては、例えば液晶パネルや有機ＥＬ（Electro Luminescence）パネル、ＰＤＰ（Plasma Display Panel）、ＣＲＴ（Cathode-Ray Tube）、ＦＥＤ（Field Emission Display）、電気泳動ディスプレイパネルなどが例示できる。
【００２２】
モード切替部は、本体部３００に各種情報が送受信可能に接続されている。このモード切替部は、カーオーディオ１００のデフォルトのモードであるこのカーオーディオ１００の動作を制御する操作モードから、検出指紋に関する情報を後述する指紋登録部３２０や組み合わせ登録部３３０に登録する指紋登録モードに切り換える際に操作される。なお、ここでは、カーオーディオ１００のデフォルトのモードが操作モードである構成について例示するがこれに限られない。モード切替部は、例えば筐体２１０の正面に配設され例えば押下操作可能な図示しない切換操作部と、例えば筐体２１０内に配設された図示しない切換信号生成部と、などを備えている。そして、モード切替部は、切換信号生成部にて切換操作部が押下されたことを認識すると、押下された回数に応じた数のモード切換信号を生成して本体部３００に出力する。なお、切換操作部を設けずに、切換信号生成部にて例えば「指紋登録」などの音声を認識した際にモード切替信号を出力する構成など適宜他の構成などとしてもよい。
【００２３】
本体部３００は、図１に示すように、処理実施手段としての機器部３１０と、指紋登録部３２０と、記憶手段としての組み合わせ登録部３３０と、メモリ３４０と、報知手段としての音声報知部３５０と、処理部３６０と、などを備えている。なお、本体部３００に設けられた処理部３６０、グリル部２００に設けられた入力部２２０および指紋検出部２３０にて、本発明の操作制御装置が構成されている。ここで、本発明の操作制御装置としては、入力部２２０をグリル部２００に設けずに、処理部３６０と指紋検出部２３０とにて構成してもよい。また、機器部３１０と、処理部３６０と、入力部２２０と、指紋検出部２３０と、にて本発明の処理制御装置が構成されている。ここで、本発明の処理制御装置としては、入力部２２０をグリル部２００に設けずに、機器部３１０と、処理部３６０と、指紋検出部２３０と、にて構成してもよい。
【００２４】
機器部３１０は、例えば図示しない、ＣＤ再生部と、ＭＤ再生部と、ミュージックサーバ（以下、ＭＳＶと称す）再生部と、チューナ部と、グリル駆動部と、音声出力部と、機器ＣＰＵ（Central Processing Unit）と、などを備えている。なお、以下において、ＣＤ再生部、ＭＤ再生部、および、ＭＳＶ再生部をまとめて説明する際には、これらを各再生部と適宜称して説明する。
【００２５】
ＣＤ再生部は、機器ＣＰＵに接続されている。このＣＤ再生部は、図示しないＣＤを装着するＣＤ装着部と、このＣＤ装着部に装着されたＣＤに記録された楽曲データを読み取るＣＤピックアップと、このＣＤピックアップにて読み取られた楽曲データをＣＤ信号に変換するＣＤ信号生成部と、などを備えている。そして、ＣＤ再生部は、機器ＣＰＵにて制御され、ＣＤ装着部に装着されたＣＤに記録された楽曲データを読み取り、この楽曲データをＣＤ信号に適宜変換して機器ＣＰＵへ出力する。
【００２６】
ＭＤ再生部は、機器ＣＰＵに接続されている。このＭＤ再生部は、図示しないＭＤを装着するＭＤ装着部と、このＭＤ装着部に装着されたＭＤに記録された楽曲データを読み取るＭＤピックアップと、このＭＤピックアップにて読み取られた楽曲データをＭＤ信号に変換するＭＤ信号生成部と、などを備えている。そして、ＭＤ再生部は、機器ＣＰＵにて制御され、ＭＤ装着部に装着されたＭＤに記録された楽曲データを読み取り、この楽曲データをＭＤ信号に適宜変換して機器ＣＰＵへ出力する。
【００２７】
ＭＳＶ再生部には、図示しないＭＳＶが接続されている。そして、ＭＳＶ再生部は、機器ＣＰＵに接続されている。このＭＳＶ再生部は、ＭＳＶに記録された楽曲データを読み取るＭＳＶ読取部と、このＭＳＶ読取部にて読み取られた楽曲データをＭＳＶ信号に変換するＭＳＶ信号生成部と、などを備えている。そして、ＭＳＶ再生部は、機器ＣＰＵにて制御され、ＭＳＶに記録された楽曲データを読み取り、この楽曲データをＭＳＶ信号に適宜変換して機器ＣＰＵへ出力する。
【００２８】
チューナ部には、放送波を受信する図示しないアンテナが接続されている。また、チューナ部は、機器ＣＰＵに接続されている。そして、チューナ部は、機器ＣＰＵにて制御され、アンテナにて受信され、このアンテナから入力される信号を取得する。そして、この取得した信号を受信信号に適宜変換して機器ＣＰＵへ出力する。
【００２９】
グリル駆動部は、例えば本体部３００の本体ケース内からグリル部２００の筐体２１０内に架けて配設されている。このグリル駆動部は、機器ＣＰＵに接続されている。そして、グリル駆動部は、機器ＣＰＵにて制御され、グリル部２００を適宜回動させることにより、グリル部２００の筐体２１０と本体部３００の本体ケースとのなす角度を変更する。
【００３０】
音声出力部は、例えば車両のインストルメントパネル部、ドア部、リアダッシュボード部などに配設されたスピーカを有している。この音声出力部は、機器ＣＰＵに接続されている。そして、この音声出力部は、機器ＣＰＵにて制御され、機器ＣＰＵからの後述する楽曲信号をスピーカから音声により出力する。
【００３１】
機器ＣＰＵは、処理部３６０に接続されている。この機器ＣＰＵは、処理部３６０からの後述する動作制御信号Ｓcsを取得すると、この動作制御信号Ｓcsに記載された内容に基づいて、各再生部、チューナー部、グリル駆動部などを適宜動作させる。例えば、機器ＣＰＵは、動作制御信号ＳcsにＣＤ再生部にて楽曲の再生を開始する旨が記載されている場合、ＣＤ再生部の動作を制御して楽曲の再生を開始させる。そして、ＣＤ再生部からＣＤ信号を取得すると、このＣＤ信号を楽曲信号に変換して音声出力部に出力することにより、楽曲を音声出力部から出力させる。また、例えば、機器ＣＰＵは、動作制御信号Ｓcsに音声出力部から出力される音声を臨場感のある音声に切り換える旨が記載されている場合、音声出力部から出力される音声を臨場感のある音声に切り換える。
【００３２】
メモリ３４０は、処理部３６０により生成され入力部２２０により操作される機器部３１０の機能を示す後述する機能設定情報や、図３に示すような指紋対応機能情報４０を適宜読み出し可能に記憶する。
【００３３】
指紋対応機能情報４０は、例えば左手の各指に対応して入力部２２０により操作される機器部３１０の機能に関する情報であり、後述する組み合わせ情報８０ｎを生成する際に用いられる。なお、以下において、入力部２２０により操作される機器部３１０の機能を操作可能機能と適宜称して説明する。そして、この指紋対応機能情報４０は、指情報４１と、押下情報４２と、右回し情報４３と、左回し情報４４と、を１つのレコードとして組み込んだテーブル構造のデータベースとして構成される。
【００３４】
指情報４１は、押下情報４２、右回し情報４３、左回し情報４４に示される操作可能機能に対応する指を特定する情報である。この指情報４１は、指に関する情報をデータ化したものである。
【００３５】
押下情報４２は、指情報４１により特定される指に対応する、入力部２２０の操作つまみ２２１が押下された際に機器部３１０に処理させる機能に関する情報である。この押下情報４２は、機器部３１０に処理させる機能に関する情報をデータ化したものである。例えば指情報４１により特定される親指に対応する「ＳＯＵＲＣＥ  ＯＦＦ」は、操作つまみ２２１が押下された際に処理させる機能が、カーオーディオ１００の電源をオフする機能（以下、ソースオフ機能と称す）であることを示す。また、人差し指に対応する「ＣＤ」は、ＣＤ再生部にて楽曲の再生を開始する機能（以下、ＣＤ再生機能と称す）であることを示す。さらに、中指に対応する「ＭＤ」は、ＭＤ再生部にて楽曲の再生を開始する機能（以下、ＭＤ再生機能と称す）であることを示す。また、薬指に対応する「ＴＵＮＥＲ」は、チューナ部にて放送波の受信を開始する機能（以下、チューナ受信機能と称す）であることを示す。そして、小指に対応する「ＭＳＶ」は、ＭＳＶ再生部にて楽曲の再生を開始する機能（以下、ＭＳＶ再生機能と称す）であることを示す。
【００３６】
右回し情報４３は、指情報４１により特定される指に対応する、入力部２２０の操作つまみ２２１が右方向に回転された際に機器部３１０に処理させる機能に関する情報である。この右回し情報４３は、機器部３１０に処理させる機能に関する情報をデータ化したものである。例えば指情報４１により特定される親指に対応する「ＡＮＧＬＥ  ＵＰ」は、操作つまみ２２１が右方向に回転された際に処理させる機能が、グリル部２００の筐体２１０を本体部３００の本体ケースとのなす角度が大きくなる方向に回動させる機能（以下、アングルアップ機能と称す）であることを示す。また、人差し指に対応する「ＶＯＬ．ＵＰ」は、音声出力部から出力される音声の音量を大きくする機能（以下、ボリュームアップ機能と称す）であることを示す。さらに、中指に対応する「ＴＲＡＣＫ．ＵＰ」は、各再生部にて再生されている楽曲の再生を停止し、この楽曲の次の楽曲の再生を開始する機能（以下、トラックアップ機能と称す）であることを示す。また、薬指に対応する「ＳＦＣ  ＯＮ」は、音声出力部から出力される音声を臨場感のある音声に切り換えるいわゆるサウンドフィールドコントロール機能をオンする機能（以下、ＳＦＣオン機能と称す）であることを示す。そして、小指に対応する「ＲＥＰＥＡＴ  ＯＮ」は、各再生部にて再生されている楽曲の再生が終了した後に、この楽曲を再び再生するいわゆるリピート機能をオンする機能（以下、リピートオン機能と称す）であることを示す。
【００３７】
左回し情報４４は、指情報４１により特定される指に対応する、入力部２２０の操作つまみ２２１が左方向に回転された際に機器部３１０に処理させる機能に関する情報である。この左回し情報４４は、機器部３１０に処理させる機能に関する情報をデータ化したものである。例えば指情報４１により特定される親指に対応する「ＡＮＧＬＥ  ＤＯＷＮ」は、操作つまみ２２１が左方向に回転された際に処理させる機能が、グリル部２００の筐体２１０を本体部３００の本体ケースとのなす角度が小さくなる方向に回動させる機能（以下、アングルダウン機能と称す）であることを示す。また、人差し指に対応する「ＶＯＬ．ＤＯＷＮ」は、音声出力部から出力される音声の音量を小さくする機能（以下、ボリュームダウン機能と称す）であることを示す。さらに、中指に対応する「ＴＲＡＣＫ．ＤＯＷＮ」は、各再生部にて再生されている楽曲の再生を停止し、この楽曲を最初から再び再生する機能（以下、トラックダウン機能と称す）であることを示す。また、薬指に対応する「ＳＦＣ  ＯＦＦ」は、サウンドフィールドコントロール機能をオフする機能（以下、ＳＦＣオフ機能と称す）であることを示す。そして、小指に対応する「ＲＥＰＥＡＴ  ＯＦＦ」は、リピート機能をオフする機能（以下、リピートオフ機能と称す）であることを示す。
【００３８】
なお、各指に対応する操作可能機能としては、図３に示す組み合わせに限らず適宜他の組み合わせとしてもよい。
【００３９】
また、メモリ３４０は、カーオーディオ１００全体を動作制御するＯＳ（Operating System）上に展開される各種プログラムなどを記憶している。このメモリ３４０としては、例えば停電などにより突然電源が落ちた際にも記憶が保持される構成のメモリ、例えばＣＭＯＳ（Complementary Metal-Oxide Semiconductor）メモリなどを用いることが望ましい。なお、メモリ３４０としては、ＨＤ（Hard Disk）、ＤＶＤ（Digital Versatile Disc）、光ディスク、メモリカードなどの記録媒体に読み出し可能に記憶するドライブやドライバなどを備えた構成としてもよい。
【００４０】
指紋登録部３２０は、図４に示すような指紋登録情報５０を適宜読み出し可能に記憶する。この指紋登録部３２０としては、ＨＤなどの磁気ディスク、ＣＤやＤＶＤなどの光ディスク、光磁気ディスク、メモリカードなどの各種記録媒体から各種情報を読み出し可能に記憶するドライブやドライバなどを備えた構成などが例示できる。
【００４１】
指紋登録情報５０は、指紋検出部２３０にて検出され、処理部３６０により登録された指紋に関する情報である。なお、以下において、処理部３６０により登録された指紋を、登録指紋と適宜称して説明する。そして、この指紋登録情報５０は、複数の指紋情報６０ｍ（ｍは自然数）が１つのデータ構造として構成されたテーブル構造の情報である。
【００４２】
指紋情報６０ｍは、１つの登録指紋に関する情報である。この指紋情報６０ｍは、指紋特定情報６１ｍ（ｍは自然数）と、特徴点情報６２ｍ（ｍは自然数）と、が１つのデータ構造として構成されたテーブル構造である。なお、この指紋情報６０ｍは、処理部３６０により消去や変更が適宜可能とされている。
【００４３】
特徴点情報６２ｍは、登録指紋の特徴を示す情報である。この特徴点情報６２ｍは、端点や分岐点などの登録指紋の特徴点の例えば位置や向きなどを示す情報を有している。また、この特徴点情報６２ｍは、処理部３６０にて生成される後述する指紋解析情報と同一の情報とされている。なお、ここでは、特徴点情報６２ｍを端点や分岐点などの特徴点を示す情報により構成したが、これに限らず登録指紋の特徴を示す他の情報により構成してもよい。また、特徴点情報６２ｍを登録指紋の画像により構成してもよい。
【００４４】
指紋特定情報６１ｍは、特徴点情報６２ｍにより特徴が示される登録指紋を特定するための情報である。この指紋特定情報６１ｍは、例えば数値を示すデータと、アルファベットを示すデータと、が１つのデータ構造として構成されている。そして、この指紋特定情報６１ｍは、数字とアルファベットとの組み合わせにより構成されている。なお、ここでは、指紋特定情報６１ｍとして、アルファベットと数字とを組み合わせた構成について例示するが、これに限らず例えば記号や漢字などを組み合わせた構成、アルファベットのみの構成、数字のみ構成など適宜他の構成などとしてもよい。
【００４５】
組み合わせ登録部３３０は、図５に示すような組み合わせ登録情報７０を適宜読み出し可能に記憶する。この組み合わせ登録部３３０としては、例えば指紋登録部３２０と同様の構成が例示できる。
【００４６】
組み合わせ登録情報７０は、検出指紋に対応した操作可能機能に関する情報である。そして、この組み合わせ登録情報７０は、複数の組み合わせ情報８０ｎ（ｎは自然数）が１つのデータ構造として構成されたテーブル構造の情報である。
【００４７】
組み合わせ情報８０ｎは、１つの検出指紋に対応した操作可能機能に関する情報である。この組み合わせ情報８０ｎは、生体特徴特定情報としての指紋特定情報８１ｎ（ｎは自然数）と、処理特定情報としての機能特定情報８２ｎ（ｎは自然数）と、が１つのデータ構造として構成されたテーブル構造である。なお、この組み合わせ情報８０ｎは、処理部３６０により消去や変更が適宜可能とされている。
【００４８】
指紋特定情報８１ｎは、機能特定情報８２ｎにより示される操作可能機能に関連付けられた検出指紋を特定するための情報である。この指紋特定情報８１ｎは、指紋登録部３２０に登録された指紋特定情報６１ｍのうちのいずれか１つと同一の情報である。
【００４９】
機能特定情報８２ｎは、指紋特定情報８１ｎにより特定される検出指紋に関連付けられた操作可能機能に関する情報である。この機能特定情報８２ｎは、押下機能情報８３ｎ（ｎは自然数）と、右回し機能情報８４ｎ（ｎは自然数）と、左回し機能情報８５ｎ（ｎは自然数）と、が１つのデータ構造として構成されたテーブル構造である。
【００５０】
押下機能情報８３ｎは、入力部２２０の操作つまみ２２１が押下された際に操作される機能を示す情報である。この押下機能情報８３ｎは、指紋対応機能情報４０の押下情報４２のうちのいずれか１つと同一の情報である。
【００５１】
右回し機能情報８４ｎは、入力部２２０の操作つまみ２２１が右方向に回転された際に操作される機能を示す情報である。この右回し機能情報８４ｎは、指紋対応機能情報４０の右回し情報４３のうちのいずれか１つと同一の情報である。
【００５２】
左回し機能情報８５ｎは、入力部２２０の操作つまみ２２１が左方向に回転された際に操作される機能を示す情報である。この左回し機能情報８５ｎは、指紋対応機能情報４０の左回し情報４４のうちのいずれか１つと同一の情報である。
【００５３】
音声報知部３５０は、例えば図示しないスピーカを有している。この音声報知部３５０は、処理部３６０にて制御され、処理部３６０からの音声データなどの各種信号Ｓadをスピーカから音声により出力する。音声により出力する情報としては、例えば指紋検出部２３０に接触させる指の案内や、操作可能機能の案内などである。なお、音声報知部３５０は、本体部３００に配設された構成に限らず、機器部３１０の音声出力部を利用する構成としてもよい。
【００５４】
処理部３６０は、図示しない各入出力ポート、例えば入力部２２０が接続される操作ポート、指紋検出部２３０が接続される指紋検出ポート、表示部２４０が接続される表示ポート、機器部３１０が接続される機器ポート、指紋登録部３２０が接続される指紋登録ポート、組み合わせ登録部３３０が接続される組み合わせポート、メモリ３４０が接続されるメモリポート、音声報知部３５０が接続される音声報知ポートなどを有している。そして、処理部３６０は、各種プログラムとして、図１に示すように、指紋照合手段３６１と、情報生成手段としても機能する登録情報生成手段３６２と、処理制御手段として機能する操作機能設定手段３６３と、処理制御手段として機能する機器制御手段３６４と、計時手段としてのカウンタ３６５と、などを備えている。
【００５５】
指紋照合手段３６１は、操作モードおよび指紋登録モードにおいて、検出指紋を解析して、この検出指紋が指紋登録部３２０に登録されているか否か、すなわち検出指紋が登録指紋であるか否かを判断する。具体的には、指紋照合手段３６１は、指紋検出部２３０から入力される指紋信号Ｓyuに基づいて、検出指紋の形状などを認識する。そして、この検出指紋における端点や分岐点などの例えば複数の特徴点の位置や向きなどを示す指紋解析情報を生成する。この後、この指紋解析情報と同一の情報を有する特徴点情報６２ｍを指紋登録部３２０の指紋登録情報５０から検索する。そして、検索できた場合には、検出指紋が登録指紋であると判断する。一方で、検索できない場合には、検出指紋が登録指紋ではないと判断する。なお、特徴点情報６２ｍを登録指紋の画像により構成した場合、指紋信号Ｓyuに基づいて検出指紋の形状を再現した画像を生成して、この画像と同一の画像により構成された特徴点情報６２ｍを検索する構成などとしてもよい。
【００５６】
また、指紋照合手段３６１は、操作モードおよび指紋登録モードにおいて、検出指紋が登録指紋であると判断した場合、この検出指紋に操作可能機能が関連付けられているか否かを判断する。具体的には、指紋照合手段３６１は、検索した特徴点情報６２ｍを有する指紋情報６０ｍを取得する。次に、この指紋情報６０ｍに組み込まれた指紋特定情報６１ｍと同一の情報を有する指紋特定情報８１ｎを、組み合わせ登録部３３０の組み合わせ情報８０ｎから検索する。そして、検索できた場合には、検出指紋に操作可能機能が関連付けられていると判断する。一方で、検索できない場合には、検出指紋に操作可能機能が関連付けられていないと判断する。
【００５７】
登録情報生成手段３６２は、指紋登録モードにおいて、指紋照合手段３６１にて検出指紋が登録指紋でないと判断されたことを認識すると、この検出指紋に関する指紋情報６０ｍが指紋登録部３２０に登録されていないと判断する。また、この検出指紋に関する組み合わせ情報８０ｎが組み合わせ登録部３３０に登録されていないと判断する。そして、指紋情報６０ｍおよび組み合わせ情報８０ｎを生成して、指紋登録部３２０および組み合わせ登録部３３０にそれぞれ登録する。
【００５８】
具体的には、登録情報生成手段３６２は、モード切替部の切換操作部から１つのモード切替信号を取得すると、親指の検出指紋を登録する指紋登録モードに切り換えられた旨を認識する。そして、その旨を報知する「親指を当ててください」などの音声を音声報知部３５０から出力させる。また、登録情報生成手段３６２は、２つ、３つ、４つ、５つのモード切替信号をそれぞれ取得すると、人差し指、中指、薬指、小指の指紋をそれぞれ登録する指紋登録モードに切り換えられた旨を認識して報知する。なお、ここでは、取得したモード切替信号の数に応じて登録する指を変更する構成について例示するが、これに限られず例えば１つのモード切替信号を取得した際に全てのあるいは任意の各指を順次登録する構成など適宜他の構成などとしてもよい。
【００５９】
この後、登録情報生成手段３６２は、指紋照合手段３６１にて検出指紋が登録指紋でないと判断されたことを認識すると、例えば数字とアルファベットを任意に組み合わせた指紋固有情報を生成する。そして、この指紋固有情報を指紋特定情報６１ｍとして、指紋照合手段３６１にて生成された指紋解析情報を特徴点情報６２ｍとして組み込んだ指紋情報６０ｍを生成して、指紋登録部３２０に適宜読み出し可能に記憶させる。次に、登録情報生成手段３６２は、指紋対応機能情報４０に基づいて、検出指紋を有する指に関連付けられた操作可能機能を認識して組み合わせ情報８０ｎを生成する。例えば、親指の検出指紋を登録する指紋登録モードの場合、入力部２２０が押下された際に処理させる機能が親指に関連付けられたソースオフ機能であることを認識して、その旨が記載された押下機能情報８３ｎを生成する。また、入力部２２０が右方向、左方向にそれぞれ回転された際に処理させる機能が、それぞれ親指に関連付けられたアングルアップ機能、アングルダウン機能であることを認識して、右回し機能情報８４ｎ、左回し機能情報８５ｎをそれぞれ生成する。この後、各機能情報８３ｎ，８４ｎ，８５ｎを組み込んだ機能特定情報８２ｎを生成する。次に、登録情報生成手段３６２は、指紋固有情報を指紋特定情報８１ｎとして組み込むとともに、機能特定情報８２ｎを組み込んだ組み合わせ情報８０ｎを生成する。そして、この組み合わせ情報８０ｎを組み合わせ登録部３３０に適宜読み出し可能に記憶させる。この後、登録情報生成手段３６２は、親指以外の各指の検出指紋を登録する指紋登録モードに切換られた際には、同様にして指紋情報６０ｍおよび組み合わせ情報８０ｎを生成して、指紋登録部３２０および組み合わせ登録部３３０にそれぞれ適宜読み出し可能に記憶させる。
【００６０】
また、登録情報生成手段３６２は、指紋登録モードにおいて、指紋照合手段３６１にて、検出指紋が登録指紋であると判断された場合、この検出指紋に関する指紋情報６０が指紋登録部３２０に登録されていると判断する。この後、登録情報生成手段３６２は、指紋照合手段３６１にて、この検出指紋に操作可能機能が関連付けられていないと判断された場合、この検出指紋に関する組み合わせ情報８０ｎが組み合わせ登録部３３０に登録されていないと判断する。そして、組み合わせ情報８０ｎを生成して組み合わせ登録部３３０に登録する。
【００６１】
具体的には、登録情報生成手段３６２は、指紋照合手段３６１にて検出指紋が登録指紋であると判断された後に、この検出指紋に操作可能機能が関連付けられていないと判断されたことを認識する。次に、どの指の検出指紋を登録する指紋登録モードが実施されているのかを認識する。そして、指紋対応機能情報４０に基づいて、検出指紋を有する指に関連付けられた操作可能機能を認識して、上述したように、各機能情報８３ｎ，８４ｎ，８５ｎを組み込んだ機能特定情報８２ｎを生成する。この後、指紋照合手段３６１で取得した指紋情報６０ｍの指紋特定情報６１ｍを指紋特定情報８１ｎとして組み込むとともに、機能特定情報８２ｎを組み込んだ組み合わせ情報８０ｎを生成する。そして、この組み合わせ情報８０ｎを組み合わせ登録部３３０に適宜読み出し可能に記憶させる。
【００６２】
操作機能設定手段３６３は、操作モードにおいて、指紋照合手段３６１にて検出指紋に操作可能機能が関連付けられていると判断された場合、操作可能機能を検出指紋に関連付けられた機能に設定する。具体的には、操作機能設定手段３６３は、指紋照合手段３６１にて検索した指紋特定情報８１ｎを有する組み合わせ情報８０ｎを取得して、この組み合わせ情報８０ｎに組み込まれた機能特定情報８２ｎの各機能情報８３ｎ，８４ｎ，８５ｎを認識する。そして、入力部２２０から各信号Ｓou，Ｓmi，Ｓhiを取得した際に、認識した各機能情報８３ｎ，８４ｎ，８５ｎに記載された機能に基づいて機器部３１０を動作させる旨を要求する情報が記載された機能設定情報を生成する。この機能設定情報は、メモリ３４０に適宜記憶される。
【００６３】
また、操作機能設定手段３６３は、操作モードにおいて、操作可能機能を検出指紋に関連付けられた機能に設定した後、この設定した操作可能機能を所定の処理としてのデフォルト操作可能機能に適宜設定する。すなわち、入力部２２０から各信号Ｓou，Ｓmi，Ｓhiを取得した際に、デフォルト操作可能機能に基づいて機器部３１０を動作させる旨を要求する情報が記載された機能設定情報を生成する。なお、操作機能設定手段３６３にて、入力部２２０で操作される機能をデフォルト操作可能機能に設定する処理の詳細については後述する。
【００６４】
機器制御手段３６４は、操作モードにおいて、入力部２２０の入力操作を認識すると、この入力操作に基づいて機器部３１０を動作させる。具体的には、機器制御手段３６４は、各信号Ｓou，Ｓmi，Ｓhiを取得すると、操作機能設定手段３６３により生成された機能設定情報を取得する。そして、この機能設定情報に基づいて、取得した各信号Ｓou，Ｓmi，Ｓhiに対応する操作可能機能を認識し、この操作可能機能が記載された動作制御信号Ｓcsを生成して適宜出力する。
【００６５】
カウンタ３６５は、操作機能設定手段３６３により制御され、操作可能機能が検出指紋に関連付けられた機能に設定されてからの経過時間Ｔ１を適宜カウントする。
【００６６】
〔音響再生装置の動作〕
次に、カーオーディオ１００の動作を図面を参照して説明する。
【００６７】
（指紋情報および組み合わせ情報の登録処理）
まず、カーオーディオ１００の動作として、指紋情報６０ｍおよび組み合わせ情報８０ｎの登録処理について図６に基づいて説明する。ここでは、人差し指の指紋に関する指紋情報６０２および組み合わせ情報８０２の登録処理を例示して説明する。
【００６８】
まず、カーオーディオ１００は、電源がオンされるとデフォルトのモードである操作モードになる。そして、利用者によりモード切替部の切換操作部が例えば２回押下されると、カーオーディオ１００の処理部３６０は、登録情報生成手段３６２にて、２つのモード切替信号を取得する。そして、登録情報生成手段３６２は、音声報知部３５０を制御して、操作モードから人差し指の検出指紋を登録する指紋登録モードに切り換えられた旨を報知する「人差し指を当てください」などの音声を出力させる（ステップＳ１０１）。
【００６９】
この後、処理部３６０は、利用者の人差し指が指紋検出部２３０に当接され、指紋照合手段３６１にて指紋検出部２３０で人差し指の指紋を検出したことを認識すると（ステップＳ１０２）、この検出指紋を解析して指紋解析情報を生成する（ステップＳ１０３）。ここでは、検出指紋を解析して、例えば特徴点情報６２２と同一の情報を有する指紋解析情報を生成する。そして、指紋照合手段３６１は、指紋解析情報と同一の情報を有する特徴点情報６２ｍを検索することにより、検出指紋が登録指紋であるか否かを判断する（ステップＳ１０４）。
【００７０】
ステップＳ１０４において、処理部３６０は、指紋照合手段３６１にて検出指紋が登録指紋でないと判断すると、登録情報生成手段３６２にて指紋情報６０ｍを生成して指紋登録部３２０に登録する（ステップＳ１０５）。具体的には、登録情報生成手段３６２は、例えば数字とアルファベットを任意に組み合わせた指紋固有情報を生成する。そして、この指紋固有情報を指紋特定情報６１ｍとして、ステップＳ１０３において生成された指紋解析情報を特徴点情報６２ｍとして組み込んだ指紋情報６０ｍを生成する。この後、この指紋情報６０ｍを指紋登録部３２０に適宜読み出し可能に記憶させる。ここでは、例えば「２Ａ」という指紋固有情報を生成する。そして、この「２Ａ」を指紋特定情報６１２として、ステップＳ１０３において生成された指紋解析情報を特徴点情報６２２として組み込んだ指紋情報６０２を生成して、指紋登録部３２０に登録する。
【００７１】
この後、処理部３６０は、登録情報生成手段３６２にて組み合わせ情報８０ｎを生成して組み合わせ登録部３３０に登録する（ステップＳ１０６）。具体的には、登録情報生成手段３６２は、指紋対応機能情報４０に基づいて、検出指紋を有する指に関連付けられた操作可能機能を認識する。次に、この操作可能機能を各機能情報８３ｎ，８４ｎ，８５ｎとして組み込んだ機能特定情報８２ｎを生成する。そして、ステップＳ１０３において生成した指紋固有情報を指紋特定情報８１ｎとして組み込むとともに、機能特定情報８２ｎを組み込んだ組み合わせ情報８０ｎを生成する。この後、この組み合わせ情報８０ｎを組み合わせ登録部３３０に適宜読み出し可能に記憶させる。ここでは、検出指紋を有する指が人差し指なので、入力部２２０が押下された際に処理させる機能がＣＤ再生機能である旨を記載した押下機能情報８３２を生成する。また、右方向、左方向にそれぞれ回転された際に処理させる機能がそれぞれボリュームアップ機能、ボリュームダウン機能である旨を記載した右回し機能情報８４２、左回し機能情報８５２をそれぞれ生成する。そして、各機能情報８３２，８４２，８５２を組み込んだ機能特定情報８２２を生成する。この後、「２Ａ」を指紋特定情報８１２として組み込むとともに、機能特定情報８２２を組み込んだ組み合わせ情報８０２を生成する。そして、この組み合わせ情報８０２を組み合わせ登録部３３０に登録する。この後、処理部３６０は、デフォルトのモードである操作モードに切り換えて登録処理を終了する。
【００７２】
一方で、ステップＳ１０４において、処理部３６０は、指紋照合手段３６１にて検出指紋が登録指紋であると判断すると、検索した特徴点情報６２ｍを有する指紋情報６０ｍを取得する。そして、指紋照合手段３６１は、取得した指紋情報６０ｍの指紋特定情報６１ｍと同一の情報を有する指紋特定情報８１ｎを検索して、検出指紋に操作可能機能が関連付けられているか否かを判断する（ステップＳ１０７）。このステップＳ１０７において、処理部３６０は、検出指紋に操作可能機能が関連付けられていると判断すると、デフォルトのモードである操作モードに切り換えて登録処理を終了する。
【００７３】
一方で、ステップＳ１０７において、処理部３６０は、検出指紋に操作可能機能が関連付けられていないと判断すると、ステップＳ１０６の処理を実施する。具体的には、処理部３６０は、登録情報生成手段３６２にて、どの指の検出指紋を登録する指紋登録モードが実施されているのかを認識する。そして、指紋対応機能情報４０に基づいて、検出指紋を有する指に関連付けられた操作可能機能を認識して、各機能情報８３ｎ，８４ｎ，８５ｎを組み込んだ機能特定情報８２ｎを生成する。次に、取得した指紋情報６０ｍの指紋特定情報６１ｍを指紋特定情報８１ｎとして組み込むとともに、機能特定情報８２ｎを組み込んだ組み合わせ情報８０ｎを生成する。そして、この組み合わせ情報８０ｎを組み合わせ登録部３３０に適宜読み出し可能に記憶させる。この後、処理部３６０は、デフォルトのモードである操作モードに切り換えて登録処理を終了する。
【００７４】
（操作可能機能の設定処理）
次に、カーオーディオ１００の動作として、操作可能機能の設定処理について図７に基づいて説明する。なお、ここでは、デフォルト操作可能機能として、押下された際の機能がＣＤ再生機能に設定されている。また、右方向、左方向にそれぞれ回転された際の機能がそれぞれボリュームアップ機能、ボリュームダウン機能に設定されている構成を例示して説明するがこれに限られない。また、ここでは、操作可能機能として、指紋情報６０３の指紋特定情報６１３および組み合わせ情報８０３の指紋特定情報８１３により、特定される中指の検出指紋に関連付けられた機能に設定する処理を例示して説明する。
【００７５】
例えば、カーオーディオ１００は、デフォルトのモードである操作モードにおいて、指紋照合手段３６１にて指紋検出部２３０で指紋を検出したことを認識する（ステップＳ２０１）。そして、この検出指紋を解析して指紋解析情報を生成する（ステップＳ２０２）。ここでは、指紋特定情報６１３により特定される中指の検出指紋を解析して、特徴点情報６２３と同一の情報を有する指紋解析情報を生成する。
【００７６】
そして、指紋照合手段３６１は、指紋解析情報と同一の情報を有する特徴点情報６２ｍを検索することにより、検出指紋が登録指紋であるか否かを判断する（ステップＳ２０３）。このステップＳ２０３において、処理部３６０は、指紋照合手段３６１にて検出指紋が登録指紋でないと判断すると、操作機能設定手段３６３にて、この時点で設定されている操作可能機能をデフォルト操作可能機能に戻し（ステップＳ２０４）、設定処理を終了する。ここでは、入力部２２０が押下された際の機能をＣＤ再生機能に、右方向、左方向にそれぞれ回転された際の機能をそれぞれボリュームアップ機能、ボリュームダウン機能に戻して設定処理を終了する。
【００７７】
一方で、ステップＳ２０３において、処理部３６０は、指紋照合手段３６１にて検出指紋が登録指紋であると判断すると、検索した特徴点情報６２ｍを有する指紋情報６０ｍを取得する。ここでは、指紋照合手段３６１は、指紋解析情報と同一の特徴点情報６２３を検索できるので検出指紋が登録指紋であると判断する。そして、特徴点情報６２３を有する指紋情報６０３を取得する。
【００７８】
そして、指紋照合手段３６１は、取得した指紋情報６０ｍの指紋特定情報６１ｍと同一の情報を有する指紋特定情報８１ｎを検索することにより、検出指紋に操作可能機能が関連付けられているか否かを判断する（ステップＳ２０５）。このステップＳ２０５において、処理部３６０は、検出指紋に操作可能機能が関連付けられていないと判断すると、ステップＳ２０４の処理を実施して設定処理を終了する。
【００７９】
一方で、ステップＳ２０５において、処理部３６０は、検出指紋に操作可能機能が関連付けられていると判断すると、操作機能設定手段３６３にて、操作可能機能を検出指紋に関連付けられた機能に設定する（ステップＳ２０６）。具体的には、操作機能設定手段３６３は、ステップＳ２０５において検索した指紋特定情報８１ｎを有する組み合わせ情報８０ｎを取得して、この組み合わせ情報８０ｎに基づいて機能設定情報を生成する。ここでは、指紋照合手段３６１にて取得した指紋情報６０３の指紋特定情報６１３と同一の指紋特定情報８１３を検索できるので、操作機能設定手段３６３は指紋特定情報８１３を有する組み合わせ情報８０３を取得する。そして、この組み合わせ情報８０３の機能特定情報８２３に基づいて、操作つまみ２２１が押下された際にＭＤ再生部に楽曲の再生を開始させる旨の情報を生成する。また、右方向に回転された際に各再生部にて再生されている楽曲の再生を停止して次の楽曲の再生を開始させる旨の情報を生成する。さらに、左方向に回転された際に各再生部にて再生されている楽曲の再生を停止してこの楽曲を最初から再び再生させる旨の情報を生成する。そして、これら生成した情報が記載された機能設定情報を生成する。
【００８０】
そして、操作機能設定手段３６３は、ステップＳ２０６において設定した機能名を報知する（ステップＳ２０７）。具体的には、操作機能設定手段３６３は、機能名を報知する音声を音声報知部３５０から出力させるとともに、文字を表示部２４０に表示させる。ここでは、例えば「押下時はＭＤ再生、右回転時はトラックアップ、左回転時はトラックダウンされます」などの文言を音声および文字にて報知する。なお、変更して設定された機能名を報知する構成としては、上述したような文言を音声および文字にて報知する構成に限らず、変更された内容に応じた例えばブザー音や楽器音などを音声報知部３５０から出力させる構成や、表示部２４０の表示色を例えば変更された内容に応じた色に変更する構成など、機能名を識別可能ないずれの構成としてもよい。この後、操作機能設定手段３６３は、カウンタ３６５に経過時間Ｔ１のカウントを開始させる。
【００８１】
そして、この状態から利用者により例えば操作つまみ２２１が右方向に回転されると、機器制御手段３６４は、操作つまみ２２１の入力操作を認識するとともに、機能設定情報を取得する。この後、この機能設定情報に基づいて、再生されている楽曲の次の楽曲の再生を開始させるための動作制御信号Ｓcsを生成して機器部３１０に出力する。そして、機器部３１０は、機器ＣＰＵにて動作制御信号Ｓcsを取得すると、この動作制御信号Ｓcsに基づいて楽曲を再生している例えばＭＳＶ再生部の動作を制御して、再生している楽曲の次の楽曲の再生を開始させる。
【００８２】
そして、操作機能設定手段３６３は、カウンタ３６５によりカウントされている経過時間Ｔ１が、例えば１０秒間に予め設定された設定時間Ｔ０よりも長いか否かを判断する（ステップＳ２０８）。なお、ここでは、設定時間Ｔ０を１０秒間に設定した構成について例示するが、これに限られず５秒間や３分間など適宜他の時間に設定した構成などとしてもよい。そして、このステップＳ２０８において、操作機能設定手段３６３は、経過時間Ｔ１が設定時間Ｔ０よりも長いと判断した場合、ステップＳ２０４の処理を実施して設定処理を終了する。
【００８３】
一方で、ステップＳ２０８において、処理部３６０は、操作機能設定手段３６３にて経過時間Ｔ１が設定時間Ｔ０よりも短いと判断した場合、指紋照合手段３６１にて指紋検出部２３０で新たに指紋を検出したか否かを判断する（ステップＳ２０９）。このステップＳ２０９において、指紋照合手段３６１は、新たに指紋を検出したと判断した場合、ステップＳ２０２に戻る。
【００８４】
ステップＳ２０９において、処理部３６０は、指紋照合手段３６１にて新たに指紋を検出していないと判断した場合、操作機能設定手段３６３にて入力部２２０が操作されたか否かを判断する（ステップＳ２１０）。このステップＳ２１０において、操作機能設定手段３６３は、入力部２２０が操作されていないと判断すると、ステップＳ２０８に戻る。
【００８５】
ステップＳ２１０において、操作機能設定手段３６３は、入力部２２０が操作されたと判断すると、経過時間Ｔ１を０に戻した（ステップＳ２１１）後に、ステップＳ２０８に戻る。
【００８６】
上述したように、上記実施の形態では、カーオーディオ１００の処理部３６０は、機器制御手段３６４にて、入力部２２０からの押下、右方向への回転、左方向への回転の３種類の入力操作に応じた各信号Ｓou，Ｓmi，Ｓhiを取得すると、機能設定情報に基づいて各入力操作に対応した機能で機器部３１０を動作させるための動作制御信号Ｓcsを生成して出力する。また、指紋検出部２３０にて、指紋を検出すると、この指紋に対応する指紋信号Ｓyuを生成して出力する。そして、指紋信号Ｓyuを取得すると、操作機能設定手段３６３にて、入力部２２０の各入力操作に対応した機能を指紋に関連付けられた機能に設定した機能設定情報を生成する。
【００８７】
このため、カーオーディオ１００は、３種類の入力操作に対応した機能が各指の指紋に関連付けられた機能で適宜設定され、例えば左手の各指の指紋の検出により最大で１５種類の機能に適宜設定できる。したがって、カーオーディオ１００に、例えば５個の入力部２２０や例えば１種類の入力操作が可能な１５個の入力操作部を設けることなく１５種類の処理を実施させることができる。よって、入力部２２０との指紋の関連付けにより、機能に対応した数の操作つまみ２２１を設ける必要がなく、複数の処理を簡単な構成で容易に実施させることができる。
【００８８】
カーオーディオ１００に、指紋信号Ｓyuに対応する検出指紋を特定する指紋特定情報８１ｎ、および、操作可能機能に関する機能特定情報８２ｎが１つのデータ構造として構成された組み合わせ情報８０ｎを記憶する組み合わせ登録部３３０を設けている。そして、操作機能設定手段３６３は、組み合わせ登録部３３０から指紋信号Ｓyuに対応する検出指紋の指紋特定情報８１ｎを検索することにより組み合わせ情報８０ｎを特定する。この後、この特定した組み合わせ情報８０ｎの機能特定情報８２ｎに基づいて、操作可能機能を設定した機能設定情報を生成する。このため、操作機能設定手段３６３は、検出指紋の指紋特定情報８１ｎを検索するだけの簡単な方法で、操作可能機能を指紋信号Ｓyuに関連付けられた機能に設定できる。したがって、操作機能設定手段３６３は、操作可能機能の設定処理を容易にできる。また、組み合わせ情報８０ｎに、指紋特定情報８１ｎおよび機能特定情報８２ｎを組み込むだけの簡単なデータ構造で、操作可能機能を指紋信号Ｓyuに関連付けられた機能に設定できる。したがって、組み合わせ情報８０ｎのデータ量を最小限に抑えられ、組み合わせ登録部３３０の容量を最小限に抑えることができる。
【００８９】
カーオーディオ１００に、組み合わせ情報８０ｎを生成して組み合わせ登録部３３０に記憶させる登録情報生成手段３６２を設けている。このため、カーオーディオ１００は、例えば複数の利用者の指紋に対応した組み合わせ情報８０ｎを新たに適宜生成できる。したがって、例えば複数の利用者に対応した操作可能機能を新たに適宜設定でき、カーオーディオ１００の使い勝手を向上できる。
【００９０】
操作機能設定手段３６３は、操作可能機能を設定した際に、この設定した内容を音声報知部３５０および表示部２４０に報知させる。このため、利用者は、操作可能機能を容易に認識でき所望の操作を確実にできる。したがって、カーオーディオ１００の使い勝手をより向上できる。
【００９１】
操作可能機能の設定内容を、音声報知部３５０から音声にて報知させる構成としている。このため、利用者は、例えば運転中であっても視線をそらすことなく操作可能機能を認識できる。したがって、カーオーディオ１００の使い勝手をさらに向上できる。
【００９２】
カーオーディオ１００に、操作可能機能を変更してからの経過時間Ｔ１をカウントするカウンタ３６５を設けている。そして、操作機能設定手段３６３は、経過時間Ｔ１が設定時間Ｔ０よりも長いと判断した際に、操作可能機能をデフォルト操作可能機能に戻す。このため、利用者は、特別な操作をすることなく操作可能機能をデフォルト操作可能機能に戻すことができる。したがって、カーオーディオ１００の操作性が向上し、使い勝手をさらに向上できる。
【００９３】
デフォルト操作可能機能を、一般的に操作頻度が高いボリュームアップ機能およびボリュームダウン機能（以下、音量調整機構と適宜称す）に設定している。このため、利用者は、操作可能機能を操作頻度が高い音量調整機能に変更する際に、経過時間Ｔ１が設定時間Ｔ０よりも長くなるのを待つだけでよいので指紋照合を実施する必要がない。したがって、カーオーディオ１００の操作性がより向上し、使い勝手をさらに向上できる。
【００９４】
指紋検出部２３０にて生体的特徴としての指紋を検出し、この検出した指紋を有する指に対応して操作可能機能を設定する構成としている。このため、利用者は、指紋検出部２３０に指を当接させるだけの簡単な方法で操作可能機能を適宜設定できる。したがって、操作可能機能を設定する際の操作性が向上し、カーオーディオ１００の使い勝手をさらに向上できる。
【００９５】
一般的に操作性がよい人差し指に対応する操作可能機能として、一般的に操作頻度が高い音量調整機能に設定している。このため、利用者は、例えば早急に音量を調整したい場合に、操作性がよい人差し指の指紋照合により操作可能機能を音量調整機能に変更できる。したがって、操作頻度が高い操作可能機能に設定する際の操作性がより向上し、カーオーディオ１００の使い勝手をさらに向上できる。
【００９６】
操作機能設定手段３６３は、経過時間Ｔ１のカウントを開始した後に入力部２２０が操作されたと判断した場合、経過時間Ｔ１を０に戻す。このため、利用者は、例えば任意の指に関連付けられた操作可能機能を連続して複数回操作したい場合、この操作間隔が経過時間Ｔ１よりも短ければ新たに指紋照合をすることなく何回でも操作できる。したがって、同一の操作可能機能を連続して操作する際の操作性がより向上し、カーオーディオ１００の使い勝手をさらに向上できる。
【００９７】
カーオーディオ１００のグリル部２００に、入力部２２０を設けている。このため、利用者は、入力部２２０の位置を容易に認識でき、カーオーディオ１００をより容易に操作できる。
【００９８】
入力部２２０の操作つまみ２２１を、押下、右方向への回転、左方向への回転の３種類の入力操作が可能な構成としている。このため、上述した３種類の入力操作がそれぞれ可能な操作つまみを３つ設ける構成と比べて、操作つまみを配設するスペースを適宜小さくできる。したがって、グリル部２００を適宜小型化できる。
【００９９】
指紋検出部２３０を、入力部２２０の操作つまみ２２１に配設している。このため、利用者は、操作つまみ２２１の位置を覚えるだけで指紋照合も実施でき、カーオーディオ１００の複数の機能をより容易に操作できる。また、カーオーディオ１００に、指紋検出部２３０のみを配設するスペースを特別に設ける必要がなくなるので、小型化を容易に図ることができる。
【０１００】
本発明の操作制御装置を、カーオーディオ１００に適用している。このため、利用者は、運転中であっても視線をそらすことなく指紋照合により操作可能機能を適宜変更でき、カーオーディオ１００の複数の機能を容易に操作できる。したがって、カーオーディオ１００の操作性がより向上し、使い勝手をより向上できる。
【０１０１】
カーオーディオ１００に、操作モードを指紋登録モードに切り換えるモード切替部を設けている。このため、利用者は、モード切替部の操作により指紋登録モードに切り換えることができ、カーオーディオ１００に指紋情報６０ｍおよび組み合わせ情報８０ｎの登録処理を迅速に実施させることができる。
【０１０２】
カーオーディオ１００のデフォルトのモードを、一般的に利用頻度が高い操作モードに設定している。そして、指紋登録モードによる登録処理が終了した後に、自動的に操作モードに切り換える構成としている。このため、利用者は、指紋登録モードによる登録処理が終了した後に、利用頻度が高い操作モードに切り換える際に特別な処理を実施する必要がない。したがって、カーオーディオ１００の操作性がより向上し、使い勝手をさらに向上できる。
【０１０３】
カーオーディオ１００に、各指に対応する操作可能機能を示す指紋対応機能情報４０を記憶するメモリ３４０を設けている。そして、登録情報生成手段３６２は、どの指の検出指紋を登録する指紋登録モードが実施されているのかを認識した後に、この登録する検出指紋に対応する組み合わせ情報８０ｎを指紋対応機能情報４０に基づいて生成する。このため、利用者は、任意の指の指紋照合を実施するだけで、この指に対応した組み合わせ情報８０ｎをカーオーディオ１００に生成させることができる。したがって、利用者は、任意の指に対応した操作可能機能を容易に設定できる。
【０１０４】
登録情報生成手段３６２は、検出指紋を登録する指を音声報知部３５０に報知させる。このため、利用者は、指紋照合する指を事前に認識でき、報知される指示に従って指紋照合を実施するだけで任意の指に対応した操作可能機能を設定できる。したがって、利用者は、操作可能機能の設定処理を容易にかつ確実にできる。
【０１０５】
［実施の形態の変形］
なお、本発明は、上述した実施の形態に限定されるものではなく、本発明の目的を達成できる範囲で以下に示される変形をも含むものである。
【０１０６】
すなわち、処理部３６０に、例えば図８に示すフローチャートに基づいて、指紋情報６０ｍおよび組み合わせ情報８０ｎの登録処理を実施させる構成としてもよい。
【０１０７】
この図８に示すような登録処理において、処理部３６０は、登録情報生成手段３６２にて指紋登録モードに切り換えられたことを認識した後に、指紋照合手段３６１にて指紋検出部２３０で任意の指の指紋を検出したことを認識すると（ステップＳ３０１）、例えばステップＳ１０３と同様の処理により検出指紋を解析して指紋固有情報を生成する（ステップＳ３０２）。そして、処理部３６０は、指紋照合手段３６１にて、例えばステップＳ１０４と同様の処理により検出指紋が登録指紋であるか否かを判断する（ステップＳ３０３）。
【０１０８】
このステップＳ３０３において、処理部３６０は、指紋照合手段３６１にて検出指紋が登録指紋でないと判断すると、登録情報生成手段３６２にて例えばステップＳ１０５と同様の処理を実施して指紋情報６０ｍを指紋登録部３２０に登録する（ステップＳ３０４）。この後、登録情報生成手段３６２は、利用者により選択された操作可能機能を認識する（ステップＳ３０５）。具体的には、登録情報生成手段３６２は、例えば指紋対応機能情報４０の押下情報４２、右回し情報４３、左回し情報４４と同様の操作可能機能に関する情報が記載された処理内容候補情報を、報知手段としても機能する例えば表示部２４０に報知させる。この後、例えば入力部２２０は、利用者の操作つまみ２２１の入力操作により選択された処理内容候補情報の操作可能機能を記載した処理内容選択情報を生成して出力する。そして、登録情報生成手段３６２は、処理内容選択情報を取得すると、この処理内容選択情報から利用者により選択された操作可能機能を認識する。この後、登録情報生成手段３６２は、組み合わせ情報８０ｎを組み合わせ登録部３３０に登録して（ステップＳ３０６）、登録処理を終了する。具体的には、登録情報生成手段３６２は、ステップＳ３０５において認識した操作可能機能を各機能情報８３ｎ，８４ｎ，８５ｎとして組み込んだ機能特定情報８２ｎを生成する。そして、この生成した機能特定情報８２ｎを組み込むとともに、ステップＳ３０２において生成した指紋固有情報を指紋特定情報８１ｎとして組み込んだ組み合わせ情報８０ｎを生成する。この後、登録情報生成手段３６２は、組み合わせ情報８０ｎを組み合わせ登録部３３０に登録して登録処理を終了する。
【０１０９】
一方で、ステップＳ３０３において、処理部３６０は、指紋照合手段３６１にて検出指紋が登録指紋であると判断すると、ステップＳ１０７と同様の処理を実施して検出指紋に操作可能機能が関連付けられているか否かを判断する（ステップＳ３０７）。このステップＳ３０７において、処理部３６０は、検出指紋に操作可能機能が関連付けられていると判断すると登録処理を終了する。一方で、ステップＳ３０７において、処理部３６０は、検出指紋に操作可能機能が関連付けられていないと判断すると、ステップＳ３０５，Ｓ３０６の処理を実施して、組み合わせ情報８０ｎを組み合わせ登録部３３０に登録して登録処理を終了する。このような構成にすれば、操作可能機能を利用者の所望の指に対応させることができる。したがって、利用者は、各指に対応する操作可能機能を容易に認識でき、カーオーディオ１００をより容易に操作できる。
【０１１０】
操作機能設定手段３６３に、操作可能機能の設定内容を音声報知部３５０および表示部２４０に報知させる機能を設けた構成について例示したが、このような機能を設けない構成や、表示部２４０のみに報知させる構成などとしてもよい。このような構成にすれば、操作機能設定手段３６３の構成をより簡略化できる。
【０１１１】
操作機能設定手段３６３に、経過時間Ｔ１が設定時間Ｔ０よりも長いと判断した際に操作可能機能をデフォルト操作可能機能に戻す機能を設けた構成について例示したが、このような機能を設けない構成などとしてもよい。このような構成にすれば、利用者は、操作可能機能を一度変更すれば、その状態を再び設定処理を実施するまで維持させることができる。このため、利用者は、例えば任意の指に関連付けられた操作可能機能を連続して複数回操作したい場合、新たに指紋照合をすることなく何回でも操作できる。したがって、同一の操作可能機能を連続して操作する際の操作性がより向上し、カーオーディオ１００の使い勝手をさらに向上できる。
【０１１２】
カーオーディオ１００に、操作可能機能をデフォルト操作可能機能に強制的に戻すリセット手段を設けた構成としてもよい。このような構成にすれば、利用者は、経過時間Ｔ１が設定時間Ｔ０を経過するのを待つことなく、リセット手段により所望のタイミングで操作可能機能をデフォルト操作可能機能に戻すことができる。したがって、利用者の所望のタイミングで操作可能機能をデフォルト操作可能機能に戻すことが可能な利便性が高いカーオーディオ１００を提供できる。
【０１１３】
デフォルト操作可能機能を一般的に操作頻度が高い音量調整機能に設定した構成について例示したが、このデフォルト操作可能機能を利用者により適宜設定可能な構成などとしてもよい。このような構成にすれば、利用者は、所望の操作可能機能をデフォルト操作可能機能に設定できる。したがって、利用者の好みに合わせたデフォルト操作可能機能が設定可能な利便性が高いカーオーディオ１００を提供できる。
【０１１４】
操作機能設定手段３６３に、経過時間Ｔ１のカウントを開始した後に入力部２２０が操作されたと判断した場合、経過時間Ｔ１を０に戻す機能を設けた構成について例示したが、このような機能を設けない構成などとしてもよい。このような構成にすれば、操作機能設定手段３６３の構成を簡略化できる。
【０１１５】
入力部２２０をグリル部２００に配設した構成について例示したが、これに限らず例えばリモートコントローラ（以下、リモコンと称す）に配設する構成などとしてもよい。このような構成にすれば、利用者は、遠隔からでもカーオーディオ１００に処理を実施させることができる。
【０１１６】
入力部２２０をリモコンに設けた構成において、指紋検出部２３０をリモコンに設けてもよい。このような構成にすれば、利用者は、遠隔からでも操作可能機能を設定できる。したがって、遠隔からでも操作可能機能を設定可能な利便性がより高いカーオーディオ１００を提供できる。
【０１１７】
３種類の入力操作が可能な入力部２２０を設けた構成について例示したが、これに限らず１種類の入力操作が可能な入力操作部を設けた構成などとしてもよい。このような構成にすれば、カーオーディオ１００に１種類の入力操作が可能な入力操作部を３個設けるだけで１５種類の処理を実施させることができ、複数の処理を簡単な構成で容易に実施させることができる。
【０１１８】
指紋検出部２３０を入力部２２０の操作つまみ２２１に配設した構成について例示したが、これに限らず例えば図２における表示部２４０の左方など他の位置に配設する構成などとしてもよい。このような構成にすれば、例えば操作つまみ２２１の入力操作の際に誤って指紋検出部２３０に触れることによる、意図しない操作可能機能の設定処理の実施を防止できる。したがって、利用者は、意図する操作可能機能の設定処理を確実に実施できる。
【０１１９】
カーオーディオ１００に、操作モードを指紋登録モードに切り換えるモード切替部を設けた構成について例示したが、これに限らずモード切替部を設けずに、処理部３６０に例えば以下のような処理を実施させる構成などとしてもよい。
【０１２０】
例えば、処理部３６０は、例えばステップＳ２０１，Ｓ２０２と同様の処理を実施した後に、ステップＳ２０３と同様の処理を実施して、検出指紋が登録指紋であるか否かを判断する。そして、検出指紋が登録指紋でないと判断した場合、ステップＳ１０５，Ｓ１０６と同様の処理を実施して、各情報６０ｍ，８０ｎを各登録部３２０，３３０にそれぞれ登録して処理を終了する。一方で、検出指紋が登録指紋であると判断した場合、ステップＳ２０５と同様の処理を実施して、検出指紋に操作可能機能が関連付けられているか否かを判断する。そして、検出指紋に操作可能機能が関連付けられていないと判断した場合、ステップＳ１０６と同様の処理を実施して、組み合わせ情報８０ｎを組み合わせ登録部３３０に登録して処理を終了する。一方で、検出指紋に操作可能機能が関連付けられていると判断した場合、ステップＳ２０６，Ｓ２０７と同様の処理を実施して操作可能機能を変更する。そして、ステップＳ２０８ないしステップＳ２１１、ステップＳ２０４と同様の処理を適宜実施する。
【０１２１】
このような構成にすれば、利用者は、操作モードや指紋登録モードに切り換える入力操作を実施することなく、カーオーディオ１００に各情報６０ｍ，８０ｎの登録処理または操作可能機能の設定処理を適切に実施させることができる。したがって、カーオーディオ１００の操作性がより向上し、使い勝手をさらに向上できる。また、カーオーディオ１００に、モード切替部を配設するスペースを設ける必要がなくなるので、小型化を図ることができる。
【０１２２】
登録情報生成手段３６２に、検出指紋を登録する指を音声報知部３５０に報知させる機能を設けた構成について例示したが、このような機能を設けない構成などとしてもよい。このような構成にすれば、登録情報生成手段３６２の構成を簡略化できる。また、ステップＳ１０１の処理を省略でき、各情報６０ｍ，８０ｎの登録処理をより迅速にできる。
【０１２３】
指紋検出部２３０に当接された各指に対応して操作可能機能を関連付ける構成について例示したが、例えば指紋検出部２３０に当接された指紋およびその当接方向の向きに対応して操作可能機能を設定する構成などとしてもよい。具体的には、例えば人差し指が指紋検出部２３０に上下方向の向きに当接された際に操作可能機能を音量調整機能に設定し、左右方向の向きに当接された際にトラックアップ機能およびトラックダウン機能（以下、選曲機能と適宜称す）に設定し、例えば中指が上下方向の向きに当接された際に再生されている楽曲の例えば高音や低音のレベルを調整する機能（以下、トーン調整機能と称す）に設定する構成などとしてもよい。このような構成にすれば、上記実施の形態の構成と比べて、より多くの操作可能機能を各指に関連付けることができる。したがって、カーオーディオ１００に、１個の入力部２２０を設けるだけで上記実施の形態の構成と比べてより多くの処理を実施させることができ、複数の処理を簡単な構成で容易に実施させることができる。
【０１２４】
例えば、指紋検出部２３０に当接された指紋およびその面上の滑動の軌跡に対応して操作可能機能を設定する構成などとしてもよい。具体的には、例えば指紋検出部２３０をライン式の構成とした場合、例えば人差し指が上方向に滑動された際に操作可能機能を音量調整機能に設定し、人差し指が下方向に滑動された際に選曲機能に設定し、例えば中指が上方向に滑動された際にトーン調整機能に設定する構成などとしてもよい。また、指紋検出部２３０の指紋当接部２３１の面積を指紋よりも十分大きい形状にした場合、例えば中指がＴ字状に滑動された際に操作可能機能を選曲機能に設定し、例えば薬指がＴ字状に滑動された際に再生されている楽曲の例えば高音や低音のレベルを調整する機能（以下、トーン調整機能と称す）に設定し、例えば人差し指がＶ字状に滑動された際に音量調整機能に設定する構成などとしてもよい。このような構成にすれば、上記実施の形態の構成と比べて、より多くの操作可能機能を各指に関連付けることができる。したがって、カーオーディオ１００に、１個の入力部２２０を設けるだけで上記実施の形態の構成と比べてより多くの処理を実施させることができ、複数の処理を簡単な構成で容易に実施させることができる。また、指紋当接部２３１の面積を大きい形状にした構成においては、利用者は、選曲やトーン調整をイメージしやすいＴ字状に、あるいは音量をイメージしやすいＶ字状に指を滑動させることにより操作可能機能を選曲機能、トーン調整機能、音量調整機能などに設定できる。したがって、カーオーディオ１００の操作性が向上し、使い勝手をさらに向上できる。
【０１２５】
例えば、指紋検出部２３０の指紋当接部２３１の面積を指紋よりも十分大きい形状として、指紋当接部２３１に当接された指紋およびその当接位置に対応して操作可能機能を設定する構成などとしてもよい。具体的には、例えば指紋当接部２３１上の右上部に人差し指が当接された際に操作可能機能を音量調整機能に設定し、例えば左下部に人差し指が当接された際に選曲機能に設定し、例えば右上部に中指が当接された際にトーン調整機能に設定する構成などとしてもよい。このような構成にしても、上記実施の形態の構成と比べて、より多くの操作可能機能を各指に関連付けることができる。したがって、カーオーディオ１００に、１個の入力部２２０を設けるだけで上記実施の形態の構成と比べてより多くの処理を実施させることができ、複数の処理を簡単な構成で容易に実施させることができる。
【０１２６】
例えば、以下のような構成などとしてもよい。すなわち、例えば指紋検出部２３０に人差し指が当接された際に、操作可能機能を例えば操作つまみ２２１が所定の回転角度だけ回転された際に音量を変化させるレベルの変化幅を例えば「３」に設定し、例えば中指が当接された際に、操作つまみ２２１が所定の回転角度だけ回転された際に音量を変化させるレベルの変化幅を例えば「５」に設定する構成などとしてもよい。このような構成にすれば、利用者は、音量を所望の大きさに迅速に変更できる。
【０１２７】
本発明の操作制御装置を、住宅などの建物に適用してもよい。このような構成において、例えば室内の出入り口近傍に、例えば上記実施の形態の操作つまみ２２１と同様のロータリ型の操作手段を有する入力手段と、例えば上記実施の形態の指紋検出部２３０と同様の生体特徴信号出力手段と、処理制御手段と、処理内容設定手段と、処理実施手段と、などを配設する。そして、処理内容設定手段にて、生体特徴信号出力手段に例えば人差し指が当接された際に操作可能機能をドアの施錠または解錠する機能に設定し、例えば中指が当接された際に操作可能機能を照明のオンオフ機能に設定し、例えば薬指が当接された際に操作可能機能を空調のオンオフ機能に設定する。そして、入力手段による入力操作を認識した際に、処理制御手段にて、処理内容設定手段において設定された操作可能機能に基づいて、処理実施手段に各種処理を実施させる構成などとしてもよい。このような構成にすれば、上記実施の形態と同様に、例えば１個の入力手段を設けるだけで処理実施手段に複数の処理を実施させることができ、複数の処理を簡単な構成で容易に実施させることができる。
【０１２８】
上述したように建物に適用した構成において、入力手段や生体特徴信号出力手段のうちの少なくともいずれか一方を例えば室内の複数箇所に配設してもよい。このような構成にすれば、室内の複数の場所から複数の処理を実施させることができる。また、入力手段および生体特徴信号出力手段を室外に配設すれば、利用者は、ドアを施錠する鍵やカードなどを所持する必要がない。したがって、利便性が高い建物を提供できる。なお、このように建物に適用した構成においても、上述したような機能を有する、指紋検出部２３０、機器制御手段３６４、入力手段、生体特徴信号出力手段などと同様の構成を適用してもよい。
【０１２９】
本発明の操作制御装置を、例えばテレビジョン装置、ＤＶＤやビデオテープなどの記録媒体の再生装置や再生記録装置などに適用してもよい。このような構成にすれば、利用者は、例えばテレビジョン装置に表示された映像から視線をそらすことなく、テレビジョン装置、再生装置、再生記録装置に複数の処理を実施させることができる。したがって、テレビジョン装置、再生装置、再生記録装置などの操作性が向上し、使い勝手を向上できる。
【０１３０】
例えば、上述したような指紋検出部２３０や生体特徴信号出力手段に当接された指の順序に対応して操作可能機能を関連付ける構成などとしてもよい。また、複数の指紋検出部２３０や生体特徴信号出力手段を設け、これらに当接された指の順序に対応して操作可能機能を関連付ける構成などとしてもよい。このような構成にすれば、１個の入力部２２０や入力手段を設けるだけで上述したような各構成と比べて、カーオーディオ１００や処理実施手段により多くの処理を実施させることができ、複数の処理を簡単な構成で容易に実施させることができる。
【０１３１】
本発明の操作制御装置を、例えば設置型の音響再生装置や音響再生記録装置、携帯型や設置型のパーソナルコンピュータ、携帯電話、ナビゲーション装置などの複数の処理を実施させるいかなる機器などに適用してもよい。
【０１３２】
生体的特徴として指紋を利用した構成について例示したが、これに限らず例えば各指の静脈、音声、虹彩、顔、歯型などを利用した構成やこれらを組み合わせた構成などとしてもよい。
【０１３３】
上述した各機能をプログラムとして構築したが、例えば回路基板などのハードウェアあるいは１つのＩＣ（Integrated Circuit）などの素子にて構成するなどしてもよく、いずれの形態としても利用できる。なお、プログラムや別途記録媒体から読み取らせる構成とすることにより、取扱が容易で、利用の拡大が容易に図れる。
【０１３４】
その他、本発明の実施の際の具体的な構造および手順は、本発明の目的を達成できる範囲で他の構造などに適宜変更できる。
【０１３５】
［実施形態の作用効果］
上述したように、上記実施の形態では、カーオーディオ１００の処理部３６０は、機器制御手段３６４にて、入力部２２０からの例えば押下操作に応じた押下信号Ｓouを取得すると、機能設定情報に基づいて押下操作に対応した機能で機器部３１０を動作させるための動作制御信号Ｓcsを生成して出力する。また、指紋検出部２３０にて、指紋を検出すると、この指紋に対応する指紋信号Ｓyuを生成して出力する。そして、指紋信号Ｓyuを取得すると、操作機能設定手段３６３にて、入力部２２０の押下操作に対応した機能を指紋に関連付けられた機能に設定した機能設定情報を生成する。
【０１３６】
このため、カーオーディオ１００は、例えば押下操作に対応した機能が各指の指紋に関連付けられた機能で適宜設定され、例えば左手の各指の指紋の検出により最大で５種類の機能に適宜設定できる。したがって、カーオーディオ１００に例えば１５種類の処理を実施させたい場合でも、３種類の入力操作が可能な１個の入力部２２０を設けるだけでよく、例えば１種類の入力操作が可能な１５個の入力手段を設ける必要がない。よって、複数の処理を容易に実施させることができる。
【図面の簡単な説明】
【０１３７】
【図１】本発明の一実施の形態に係る音響再生装置の概略構成を示すブロック図である。
【図２】前記一実施の形態におけるグリル部の概略構成を示す模式図である。
【図３】前記一実施の形態における指紋対応機能情報におけるデータのテーブル構造を模式的に示す概念図である。
【図４】前記一実施の形態における指紋登録情報におけるデータのテーブル構造を模式的に示す概念図である。
【図５】前記一実施の形態における組み合わせ情報におけるデータのテーブル構造を模式的に示す概念図である。
【図６】前記一実施の形態における指紋情報および組み合わせ情報の登録処理を示すフローチャートである。
【図７】前記一実施の形態における操作可能機能の設定処理を示すフローチャートである。
【図８】本発明の他の実施の形態における指紋情報および組み合わせ情報の登録処理を示すフローチャートである。
【符号の説明】
【０１３８】
８１ｎ  生体特徴特定情報としての指紋特定情報
８２ｎ  処理特定情報としての機能特定情報
２２１    操作部としての操作つまみ
２２０    操作制御装置および処理制御装置を構成する入力手段としての入力部
２３０    操作制御装置および処理制御装置を構成する生体特徴信号出力手段としての指紋検出部
２３１    指紋当接部
２４０    報知手段としても機能する表示部
３１０    処理制御装置を構成する処理実施手段としての機器部
３３０    記憶手段としての組み合わせ登録部
３５０    報知手段としての音声報知部
３６０    操作制御装置および処理制御装置を構成する処理部
３６２    情報生成手段としても機能する登録情報生成手段
３６３    処理制御手段として機能する操作機能設定手段
３６４    処理制御手段として機能する機器制御手段
３６５    計時手段としてのカウンタ
Ｓhi  操作信号としての左回転信号
Ｓmi  操作信号としての右回転信号
Ｓou  操作信号としての押下信号
Ｓyu  生体特徴信号としての指紋信号
Ｔ０  所定の時間としての設定時間
Ｔ１  経過時間
【図１】
2005219630.tif 000003
【図２】
2005219630.tif 000004
【図３】
2005219630.tif 000005
【図４】
2005219630.tif 000006
【図５】
2005219630.tif 000007
【図６】
2005219630.tif 000008
【図７】
2005219630.tif 000009
【図８】
2005219630.tif 000010